(57)【要約】【課題】薄型化を図りながらも光の損失を防ぐことが可能なバックライト装置及び液晶表示装置を提供すること。【解決手段】バックライト装置１０の反射板６は、配線基板２２上に設けられた入力用コネクタ１８及び出力用コネクタ１９を露出させるための開口６ｅを有し、反射板６には、この開口６ｅを覆うように反射シート３１が貼付されている。これにより、開口６ｅへ光が入射して入力用コネクタ１８または出力用コネクタ１９や配線基板２２に光が吸収されて損失してしまうのを防ぐことができる。【選択図】  図６
2008147147.tif 000002
【特許請求の範囲】
【請求項１】
複数の発光ダイオードと、当該各発光ダイオードを点灯させるための信号の入力または出力を行うコネクタとが突出するように設けられた複数の配線基板と、
前記各配線基板を覆うように設けられ、前記各発光ダイオードを前記突出方向に露出させるための第１の開口と、前記コネクタを前記突出方向に露出させるための第２の開口とを表面に有し、前記各発光ダイオードから出射された光を反射可能な反射板と、
前記反射板と対向するように設けられ、前記光の一部を前記反射板側へ反射させるとともに、前記光の他部を透過させ拡散させて出射させる拡散板と、
前記反射板の前記第２の開口の少なくとも一部を覆うように設けられ、前記光を反射可能な被覆部と
を具備することを特徴とするバックライト装置。
【請求項２】
請求項１に記載のバックライト装置であって、
前記被覆部は、前記第２の開口を覆うように前記反射板に貼付されたシート材であることを特徴とするバックライト装置。
【請求項３】
請求項１に記載のバックライト装置であって、
前記被覆部は、前記反射板のうち前記コネクタと対向する部分を、前記第２の開口が形成されるように切り込み、その切り込み部分を前記突出方向へ浮かせるように折り曲げることで形成されたフラップ部であることを特徴とするバックライト装置。
【請求項４】
請求項３に記載のバックライト装置であって、
前記コネクタはその露出する表面に高光反射性材料を有することを特徴とするバックライト装置。
【請求項５】
請求項３に記載のバックライト装置であって、
前記フラップ部は、前記反射板の表面と略平行な平面部を有することを特徴とするバックライト装置。
【請求項６】
請求項１に記載のバックライト装置であって、
前記被覆部は、前記コネクタの露出する表面が有する高光反射性材料であることを特徴とするバックライト装置。
【請求項７】
請求項１に記載のバックライト装置であって、
前記被覆部は、前記反射板のうち前記コネクタと対向する部分を前記突出方向へ突出させて、前記第２の開口と一体的に形成された凸部であることを特徴とするバックライト装置。
【請求項８】
複数の発光ダイオードが突出するように設けられた複数の配線基板と、
前記各配線基板を保持する保持部材と、
前記各配線基板を前記保持部材へ係止可能であり、前記各配線基板から少なくとも一部が突出するように設けられた係止部材と、
前記各配線基板を覆うように設けられ、前記各発光ダイオードを前記突出方向に露出させるための第１の開口と、前記係止部材を前記突出方向に露出させるための第２の開口とを表面に有し、前記各発光ダイオードから出射された光を反射可能な反射板と、
前記反射板と対向するように設けられ、前記光の一部を前記反射板側へ反射させるとともに、前記光の他部を透過させ拡散させて出射させる拡散板と、
前記反射板の前記第２の開口の少なくとも一部を覆うように設けられ、前記光を反射可能な被覆部と
を具備することを特徴とするバックライト装置。
【請求項９】
請求項８に記載のバックライト装置であって、
前記被覆部は、前記第２の開口を覆うように前記反射板に貼付されたシート材であることを特徴とするバックライト装置。
【請求項１０】
請求項８に記載のバックライト装置であって、
前記被覆部は、前記係止部材の露出する表面が有する高光反射性材料であることを特徴とするバックライト装置。
【請求項１１】
請求項８に記載のバックライト装置であって、
前記被覆部は、前記反射板のうち前記係止部材と対向する部分を前記突出方向へ突出させて前記第２の開口と一体的に形成された凸部であることを特徴とするバックライト装置。
【請求項１２】
複数の発光ダイオードと、当該各発光ダイオードを点灯させるための信号の入力または出力を行うコネクタとが突出するように設けられた複数の配線基板と、前記各配線基板を覆うように設けられ、前記各発光ダイオードを前記突出方向に露出させるための第１の開口と、前記コネクタを前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを有するバックライト装置と、
前記拡散板から出射された光の透過率を変化させることで映像を表示可能な液晶パネルと
を具備することを特徴とする液晶表示装置。
【請求項１３】
複数の発光ダイオードが突出するように設けられた複数の配線基板と、前記各配線基板を保持する保持部材と、前記各配線基板を前記保持部材へ係止可能であり、前記各配線基板から少なくとも一部が突出するように設けられた係止部材と、前記各配線基板を覆うように設けられ、前記各発光ダイオードを前記突出方向に露出させるための第１の開口と、前記係止部材を前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを有するバックライト装置と、
前記拡散板から出射された光の透過率を変化させることで映像を表示可能な液晶パネルと
を具備することを特徴とする液晶表示装置。
【発明の詳細な説明】
【技術分野】
【０００１】
本発明は、光源として発光ダイオード（ＬＥＤ；Light Emitting Diode）を用いたバックライト装置及び当該バックライト装置を搭載した透過型の液晶表示装置に関する。
【背景技術】
【０００２】
従来から、液晶テレビやＰＣ（Personal Computer）等の電子機器に搭載される透過型のＬＣＤ（Liquid Crystal Display；液晶ディスプレイ）においては、ＬＣＤの背面側にバックライトを配置し、当該バックライトによりＬＣＤの背面を照明することで画像を表示させている。このバックライトの光源としては、従来からＣＣＦＬ（Cold Cathode Fluorescent Lighting）が用いられていたが、近年、このＣＣＦＬに変わる光源として、ＬＥＤが有望視されている。ＬＥＤを用いることで、高効率化及び高色域化が可能であり、かつ、ＣＣＦＬのように水銀を用いることがないため、環境への悪影響も失くすことができる。
【０００３】
ＣＣＦＬを用いたバックライト装置においては、ＣＣＦＬからの出射光を反射させる反射板がＣＣＦＬの下方に設けられ、反射板と対向するように設けられた拡散板との間で光を反復反射させながら液晶パネルへ供給している。一方、ＬＥＤを用いたバックライト装置においては、複数のＬＥＤが突出するように設けられた配線基板がバックライト装置のバックシャーシ側へ固定されているため、反射板に各ＬＥＤの形状及び数に合わせた開口を設けて、この開口から各ＬＥＤを露出させながら、配線基板を覆うように反射板を設けている。このような構成を採用したバックライト装置は、例えば下記特許文献１に開示されている。
【特許文献１】特開２００５−３５２４２７号公報（図２、図７等）
【発明の開示】
【発明が解決しようとする課題】
【０００４】
ところで、上記特許文献１のこのバックライト装置の配線基板上には、ＬＥＤ以外にも、ＬＥＤを点灯させるための信号の入出力を行うコネクタや、配線基板をバックシャーシ側へ固定するためのねじも、配線基板から突出するように設けられている。そして、反射板は、上述のように反射板の開口からＬＥＤが貫通して露出するように設けられているが、ＬＥＤがある程度の高さを有しているため、上記コネクタやねじは反射板と干渉せずに、反射板の下方に位置している。
【０００５】
しかしながら、近年、液晶表示装置においては薄型化の要請が高く、バックライト装置の薄型化を図るために、高さの低いＬＥＤを用いた場合、反射板はより配線基板の表面に近い位置に設けられることとなるため、反射板が上記コネクタやねじに干渉してしまうこととなる。したがって、反射板には、上記ＬＥＤを露出させる開口と同様に、コネクタやねじを露出させるための開口を設ける必要が出てくる。しかし、この開口を設けた場合、この開口とコネクタやねじとのクリアランスが存在することとなるため、このクリアランスに光が入射したり、露出したコネクタやねじ自体に光が当たったりすると、配線基板やコネクタ及びねじに光が吸収されてしまい、光を損失してしまうことになる。これは、結果的にバックライト装置の輝度の低下や輝度むらを生じさせることになる。
【０００６】
以上のような事情に鑑み、本発明の目的は、薄型化を図りながらもＬＥＤの光の損失を防ぐことが可能なバックライト装置及び液晶表示装置を提供することにある。
【課題を解決するための手段】
【０００７】
上述の課題を解決するため、本発明の主たる観点に係るバックライト装置は、複数の発光ダイオードと、当該各発光ダイオードを点灯させるための信号の入力または出力を行うコネクタとが突出するように設けられた複数の配線基板と、前記各配線基板を覆うように設けられ、前記各発光ダイオードを前記突出方向に露出させるための第１の開口と、前記コネクタを前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを具備する。
【０００８】
このバックライト装置は、例えば液晶パネルを有する液晶表示装置に搭載されるものである。この液晶表示装置においては、発光ダイオードから出射された光は、反射板と拡散板との間で反復反射しながら混色され、液晶パネル側へ供給される。本発明のバックライト装置の構成によれば、発光ダイオードのみならずコネクタをも反射板から露出させるように設けることで、バックライト装置の薄型化を実現することができるとともに、被覆部により第２の開口を覆うことで、当該被覆部により光を反射することができる。すなわち、第２の開口から露出したコネクタや、反射板の表面方向においてコネクタと第２の開口との間に生じるクリアランスに光が入射してしまい光を損失してしまうのを防ぐことができる。この結果、バックライト装置の輝度の減少及び局所的な輝度むらの発生を防止することができる。
【０００９】
上記バックライト装置において、前記被覆部は、前記第２の開口を覆うように前記反射板に貼付されたシート材であってもよい。
【００１０】
これにより、シート材を第２の開口に貼付するだけで、このシート材により発光ダイオードの出射光を反射させ、その損失を容易に防止することができる。このシート材としては反射板と同等の反射率を有するものを用いることができる。
【００１１】
上記バックライト装置において、前記被覆部は、前記反射板のうち前記コネクタと対向する部分を、前記第２の開口が形成されるように切り込み、その切り込み部分を前記突出方向へ浮かせるように折り曲げることで形成されたフラップ部であってもよい。
【００１２】
これにより、発光ダイオードの出射光をフラップ部により反射させることができるため、反射板に新たな部材を設けることなく出射光の損失を防ぐことができる。
【００１３】
この場合、前記コネクタは、その露出する表面に高光反射性材料を有していても構わない。
【００１４】
これにより、発光ダイオードからの出射光がフラップ部と第２の開口との間のクリアランスを介してコネクタの表面に入射したとしても、その表面の高光反射性材料によってその光を反射させることができるため、光の損失を更に高い確率で防ぐことができる。なお、高光反射性材料とは、例えばアルミニウムや銀等の高反射率の金属、微細な酸化チタン（ＴｉＯ２）やチタン酸バリウム（ＢａＴｉＯ３）等の無機材料や、光散乱のための無数の穴を有する微細な多気質アクリル、ポリカーボネート等の有機材料等である。
【００１５】
またこの場合、前記フラップ部は、前記反射板の表面と略平行な平面部を有していてもよい。
【００１６】
これにより、フラップ部が反射板の表面に対して傾斜した面のみを有する場合に比べて、第２の開口とフラップ部との間のクリアランスを小さくすることができるとともに、拡散板側から反射板側へ反射してきた光を平面部でより確実に拡散板側へ反射させることができるため、光の損失を更に高い確率で防ぐことができる。
【００１７】
上記バックライト装置において、前記被覆部は、前記コネクタの露出する表面が有する高光反射性材料であってもよい。
【００１８】
これにより、係止部材反射板に新たな部材を設けることなく光の損失を防ぐことができる。なお、高光反射性材料は、上記表面に例えば塗装されるものであるが、コネクタ自体が高光反射性材料で構成されていてもよい。
【００１９】
上記バックライト装置において、前記被覆部は、前記反射板のうち前記コネクタと対向する部分を前記突出方向へ突出させて前記第２の開口と一体的に形成された凸部であってもよい。
【００２０】
これにより、反射板に凹部を一体的に形成することで、コネクタを反射板の表面から突出させながら、反射板に新たな部材を設けることなく光の損失を防ぐことができる。
【００２１】
本発明の他の観点に係るバックライト装置は、複数の発光ダイオードが突出するように設けられた複数の配線基板と、前記各配線基板を保持する保持部材と、前記各配線基板を前記保持部材へ係止可能であり、前記各配線基板から少なくとも一部が突出するように設けられた係止部材と、前記各配線基板を覆うように設けられ、前記各発光ダイオードを前記突出方向に露出させるための第１の開口と、前記係止部材を前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを具備する。
【００２２】
ここで係止部材とは、例えばねじ、ビス、ピン等である。この構成により、発光ダイオードのみならず係止部材をも反射板から露出させるように設けることで、バックライト装置の薄型化を実現することができるとともに、被覆部により第２の開口を覆うことで、当該被覆部により光を反射させ、光の損失を防ぐことができる。
【００２３】
上記バックライト装置において、前記被覆部は、前記第２の開口を覆うように前記反射板に貼付されたシート材であってもよい。
【００２４】
これにより、シート材を第２の開口に貼付するだけで、このシート材により発光ダイオードの出射光を反射させ、その損失を容易に防止することができる。
【００２５】
上記バックライト装置において、前記被覆部は、前記係止部材の露出する表面が有する高光反射性材料であっても構わない。
【００２６】
これにより、係止部材反射板に新たな部材を設けることなく光の損失を防ぐことができる。なお、高光反射性材料は、上記表面に例えば塗装されるものであるが、係止部材自体が高光反射性材料で構成されていてもよい。
【００２７】
上記バックライト装置において、前記被覆部は、前記反射板のうち前記係止部材と対向する部分を前記突出方向へ突出させて前記第２の開口と一体的に形成された凸部であっても構わない。
【００２８】
これにより、反射板に凹部を一体的に形成することで、係止部材を反射板の表面から突出させながら、反射板に新たな部材を設けることなく光の損失を防ぐことができる。
【００２９】
本発明の他の観点に係る液晶表示装置は、複数の発光ダイオードと、当該各発光ダイオードを点灯させるための信号の入力または出力を行うコネクタとが突出するように設けられた複数の配線基板と、前記各配線基板を覆うように設けられ、前記各発光ダイオードを前記突出方向に露出させるための第１の開口と、前記コネクタを前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを有するバックライト装置と、前記拡散板から出射された光の透過率を変化させることで映像を表示可能な液晶パネルとを具備する。
【００３０】
本発明の更に別の観点に係る液晶表示装置は、複数の発光ダイオードが突出するように設けられた複数の配線基板と、前記各配線基板を保持する保持部材と、前記各配線基板を前記保持部材へ係止可能であり、前記各配線基板から少なくとも一部が突出するように設けられた係止部材と、前記各配線基板を覆うように設けられ、前記各発光ダイオードを前記突出方向に露出させるための第１の開口と、前記係止部材を前記突出方向に露出させるための第２の開口とを表面に有し、前記各発光ダイオードから出射された光を反射可能な反射板と、前記反射板と対向するように設けられ、前記光の一部を前記反射板側へ反射させるとともに、前記光の他部を透過させ拡散させて出射させる拡散板と、前記反射板の前記第２の開口の少なくとも一部を覆うように設けられ、前記光を反射可能な被覆部とを有するバックライト装置と、前記拡散板から出射された光の透過率を変化させることで映像を表示可能な液晶パネルとを具備する。
【発明の効果】
【００３１】
以上のように、本発明によれば、薄型化を図りながらもＬＥＤの光の損失を防ぐことが可能なバックライト装置及び液晶表示装置を提供することができる。
【発明を実施するための最良の形態】
【００３２】
以下、本発明の実施の形態を図面に基づき説明する。
【００３３】
（第１実施形態）  
まず、本発明の第１の実施形態について説明する。図１は、本実施形態に係るバックライト装置を有する液晶表示装置の概略分解斜視図であり、図２は、図１の液晶表示装置のＺ方向の一部断面図である。また、図３は、図１及び図２に示した液晶表示装置のバックライト装置の構成を示す一部切り欠き平面図である。
【００３４】
この液晶表示装置は、例えば４０インチ以上の大型表示画面を有するテレビジョン受像機の表示パネルに用いられるものであり、液晶パネルを背面側からバックライト装置によって照明する事で画像を表示させる透過型の液晶表示装置である。
【００３５】
両図に示すように、液晶表示装置１００は、フロントシャーシ１とバックシャーシ８とによって、液晶パネル２、ミドルフレーム３、光学シート積層体４、拡散板５、反射板６及び光源アレイ７を挟み込んで保持することで構成される。フロントシャーシ１、ミドルフレーム３及びバックシャーシ８は例えばアルミニウム等の金属製である。これらは樹脂製でもよいが、液晶表示装置１００の液晶パネル２が大型であるため、強度及び熱膨張率差等を考慮すると金属性が好ましい。光学シート積層体４、拡散板５、反射板６、光源アレイ７及びバックシャーシ８はバックライト装置１０を形成し、液晶パネル２の背面側から表示光を供給する。
【００３６】
図２に示すように、液晶パネル２は、その外周縁部を、フロントシャーシ１の下面とミドルフレーム３の上面３ａとの間に例えばスペーサ１１やガイド部材１２等を介して支持される。液晶パネル２は、詳細は省略するが、第１ガラス基板と第２ガラス基板との間に液晶を封入し、この液晶に対して電圧を印加して液晶分子の向きを変えることで光透過率を変化させる。第１ガラス基板の内面には、ストライプ状の透明電極と、絶縁膜と、配向膜とが形成されており、第２ガラス基板の内面には、赤、緑、青（ＲＧＢ）の光３原色のカラーフィルタと、オーバーコート層と、ストライプ状の透明電極と、配向膜とが形成されている。また両ガラス基板の表面には、偏光フィルム及び位相差フィルムがそれぞれ接合される。
【００３７】
液晶パネル２においては、ポリイミドからなる配向膜が液晶分子を界面にして水平方向（両図Ｘ及びＹ方向）に配列されており、偏光フィルムと位相差フィルムとが波長特性を無彩色化、白色化して、カラーフィルタによるフルカラー化を図って画像をカラー表示する。なお、液晶パネル２はこのような構成に限定されるものではなく、従来から存在する種々の構成を備える液晶パネルを適用することができる。
【００３８】
また図１及び図２に示すように、ミドルフレーム３の上面３ａには矩形の開口４１が形成され、ミドルフレーム３の下面３ｂには同じく矩形の開口４２が形成されている。開口４２の面積は、開口４１の面積よりも大きく形成されている。
【００３９】
光学シート積層体４と拡散板５とは、両者が積層された状態で、ミドルフレーム３の下面３ｂと、バックシャーシ８に取り付けられたブラケット部材１５とによって挟み込まれるように支持される。ミドルフレーム３と光学シート積層体４との間には例えばスペーサ１１が介挿される。またブラケット部材１５と拡散板５との間には後述する反射板６のエッジ部６ｃが介挿される。
【００４０】
光学シート積層体４は、詳細は省略するが、例えば光源アレイ７側から出射され液晶パネル２に供給される表示光を直交する偏光成分に分解するための偏光変換シートや、光波の位相差を補償して広角視野角化や着色防止を図るための位相差シート（フィルム）、表示光を拡散させて輝度の均一化を図るための拡散シートやプリズムシート等の所定の光学機能を奏する複数の光学機能シートが積層されて構成される。
【００４１】
拡散板５は、一方の主面側（光源アレイ７側）から入射した表示光の一部を光源アレイ７側へ反射させるとともに、表示光の一部を透過させて内部において屈折、反射させて拡散させることにより、他方の主面側から全面に亘って均一な状態で光学シート積層体４へと入射させる。
【００４２】
ところで、液晶表示装置１００においては、観察者が液晶パネル２の中心から周縁部を斜めの角度（例えば４５度）から観察した場合にその周縁部の映像が暗くなってしまうのを防ぐ必要がある。本実施形態の液晶表示装置１００のように表示画面が大型化するほどその必要性は高まる。そのため、上記ミドルフレーム３には、その上面３ａの開口４１と下面３ｂの開口４２とを繋ぐ内面が、観察者の観察角度に沿って奥へ向かうにしたがって広がるように、段差部１３が設けられており、観察者がどの角度から液晶パネル２を観察してもバックライト装置１０の照明光を得て映像が観察できるようにしている。
【００４３】
この段差部１３は、液晶パネル２の主面と略平行な平面部１３ａと、この平面部１３ａと上面３ａの開口４１とを繋ぐ側面部１３ｂと、この平面部１３ａと下面３ｂの開口４２とを繋ぐ側面部１３ｃで構成される。しかしながら、この平面部１３ａにバックライト装置１０から拡散板５及び光学シート積層体４を介して出射した光が反射すると、その反射光が光学シート積層体４に当たることで、ハレーション（ミドルフレーム３の形状に沿った額縁状の反射）が生じてしまう場合がある。
【００４４】
例えば、図２に示すように、観察者が観察角度ａにより液晶パネル２の周縁部を観察する場合には、液晶パネル２の主面に対して垂直方向からの観察であるため、上記のようなハレーションは観察者からは視認できないが、観察者が観察角度ｂのように、液晶パネル２の周縁部を斜めの角度から観察する場合には、上記ハレーションが観察者から視認されてしまう。このようなハレーションは、不自然な画像を映し出し、液晶表示装置１００としての品位を落としてしまうことになる。
【００４５】
そこで、本実施形態においては、上記平面部１３ａに、つや消し加工された黒色テープ１４を貼付している。これにより、光学シート積層体４から段差部１３側へ入射した光が黒色テープ１４により吸収され、光学シート積層体４へ当たることがないため、ハレーションの無い高品位の液晶表示装置１００を提供することができる。
【００４６】
なお、黒色テープ１４を貼付する代わりに、ミドルフレーム３の段差部１３またはテーパ部６３を黒色に塗装処理してもよい。本実施形態のように、ミドルフレーム３がアルミニウム製である場合には、黒アルマイト加工するのが好ましい。また、本実施形態においては、液晶表示装置１００が大型化した場合の強度や熱膨張率差等の影響を考慮してミドルフレーム３を金属製（アルミニウム製）としているが、それらの影響が解決できればミドルフレーム３自体を黒色樹脂で成形しても構わない。
【００４７】
図３に示すように、光源アレイ７は、水平方向（同図Ｘ方向）に向かう長尺状を有し、バックシャーシ８の底面に、同図Ｙ方向に沿って所定間隔を置いて複数列並べられている。本実施形態においては、光源アレイ７は１２列設けられるが、もちろんこの数に限られるものではない。なお、図３においては、バックライト装置１０のうち、ミドルフレーム３、光学シート積層体４及び拡散板５を除いた状態を示している。
【００４８】
図２及び図３に示すように、各光源アレイ７は、金属製のアレイベース１６と、このアレイベース１６の凹部１６ａに複数並べられた光源装置２０とを有する。１つのアレイベース１６に並べられる光源装置２０の数は例えば４個であるがこの数に限られない。光源装置２０と、アレイベース１６及びバックシャーシ８とが例えば螺着されることで、光源アレイ７がバックシャーシ８の底面に固定される。
【００４９】
各光源装置２０は、配線基板２２と、この配線基板２２上に実装された複数のＬＥＤユニット２５、このＬＥＤユニット２５の各ＬＥＤ２１を点灯させるための信号の入力を行う入力用コネクタ１８及びその信号の出力を行う出力用コネクタ１９を有する。配線基板２２の材料としては、コストダウンのため、アルミ等の金属ではなく、例えばガラスエポキシ樹脂等の樹脂を用いている。
【００５０】
図４は、上記バックライト装置１０の、上記図３の破線Ａで囲んだ部分の拡大図である。同図及び図３に示すように、各ＬＥＤユニット２５は、複数のＬＥＤ２１が一ユニットとして非線状（十字状）に近接して構成され、１つの光源装置２０にはこのＬＥＤユニット２５が複数設けられる。各ＬＥＤユニット２５の各ＬＥＤ２１は、配線基板２２の表面からＺ方向に突出するように設けられる。具体的には、例えばＸ方向にそれぞれ一つ設けられた赤色ＬＥＤ２１ａ及び青色ＬＥＤ２１ｂと、Ｙ方向に設けられた２つの緑色ＬＥＤ２１ｃ及び２１ｄとが十字状に配置されることで１つのＬＥＤユニット２５が構成される。ただし、左端及び右端のＬＥＤユニット２５については、ＸＹ方向における十字状ではなく斜め方向にずれて配置され、また左右のＬＥＤユニット２５でその配置は対称的となっている。そして、このＬＥＤユニット２５が１つの光源装置２０の配線基板２２上の長手方向（Ｘ方向）に所定間隔（例えば６０ｍｍ）を置いて例えば６ユニット並べられる。したがって、本実施形態のバックライト装置１０においては、ＬＥＤユニット２５は６×４×１２＝２８８ユニット設けられ、ＬＥＤ２１は４×２８８＝１１５２個設けられることとなる。なお、ＬＥＤユニット２５及びＬＥＤ２１の数や配置間隔は、上述しまたは図示したものに限られるものではなく、液晶パネル２のサイズやＬＥＤ２１の発光能力等によって適宜変更可能である。
【００５１】
図５は、上記図４で示したバックライト装置１０のＡ−Ａ´断面図である。同図に示すように、各ＬＥＤ２１は、発光素子（図示せず）及び当該発光素子を保持する発光素子保持台２７を内部に保持する樹脂ホルダ２４と、当該発光素子に接続されて樹脂ホルダ２４から引き出されたリード線２６とを有する。各ＬＥＤ２１には、出射光の主成分を発光素子の外周方向に出射する指向性を有するいわゆるサイドエミッション型のＬＥＤが用いられている。
【００５２】
各光源装置２０の配線基板２２は例えばガラスエポキシ樹脂（ＦＲ４）等の樹脂製の材料からなる。配線基板２２を樹脂製とすることで、従来のようにアルミニウム等の金属製の場合に比べてコストダウンを図ることができる。各配線基板２２には、各ＬＥＤユニット２５の各色のＬＥＤ２１をシリーズで接続する配線パターンや各ＬＥＤ２１の端子を接続するランド等（図示せず）が形成されている。また配線基板２２には、各ＬＥＤ２１の発光素子保持台２７やリード線２６を半田付けするために、例えば銅等の金属製のソルダーパッド２８が形成されている。このソルダーパッド２８によりＬＥＤ２１の発光素子及びリード線と、配線基板２２上の配線パターンが電気的に接続される。
【００５３】
また、配線基板２２には、各ＬＥＤ２１の発光素子保持台２７に半田付けされたソルダーパッド２８からＺ方向に配線基板２２を貫通するサーマルビア５２が設けられている。このサーマルビア５２には例えば銅や銀等の金属めっき層５３が施され、この金属めっき層５３は配線基板２２の下面に亘っても形成されている。このサーマルビア５２により、配線基板２２が熱伝導性の低い樹脂製の場合でも、各ＬＥＤから発生する熱をアレイベース１６へ伝導して、バックシャーシ８や周囲の空気等を介して放熱することが可能となっている。
【００５４】
そして、配線基板２２とアレイベース１６との間には、板状の粘着材２３が設けられている。この粘着材２３は例えばアクリル系やゴム系の粘着材をベースとした、熱伝導性の高い材料からなり、その両面が粘着性を有している。この粘着材２３を介して配線基板２２をアレイベース１６側へ規定荷重で押し付けることで両者がそれらの全面に亘って容易に密着固定される。これにより、ＬＥＤ２１から発生する熱をアレイベース１６にむら無く均一に伝導させ、効率よく放熱することができ、各ＬＥＤ２１間の温度差を低減することができる。
【００５５】
また、この粘着材２３は絶縁体材料からなる。上述のようにサーマルビア５２は金属めっき層５３を有し、この金属めっき層５３が熱伝導体としてのみならず導電体としても機能する。しかし、粘着材２３を絶縁体とすることで、サーマルビア５２（ＬＥＤ２１）とアレイベース１６との間を確実に絶縁し、信頼性を向上させることができる。
【００５６】
なお、図４に示すように、各配線基板２２の長手方向（Ｘ方向）の略中央部かつ短手方向（Ｙ方向）の一端側には、各配線基板２２を粘着材２３を介してアレイベース１６に係止するためのねじ３２が１本設けられている。これにより、上記粘着材２３による配線基板２２の保持力を補強して、配線基板２２がアレイベース１６から万が一脱落するのを防止することができる。このねじ３２は、あくまで配線基板２２の脱落防止を目的としており、配線基板２２のアレイベース１６への密着固定を目的としていない。よってこのねじ３２により配線基板２２をアレイベース１６側へきつく締め付けて押圧する必要はなく、設ける場所も一箇所のみで十分である。よって、ねじ３２を設けることによる工数やコスト等の増加を最小限に抑えることができる。
【００５７】
図２及び図５に示すように、各配線基板２２の表面には、白色ソルダーレジスト６１が塗布されている。この白色ソルダーレジスト６１には、光を効率よく反射する高光反射性材料が含まれる。高光反射性材料としては、例えば微細な酸化チタン（ＴｉＯ２）やチタン酸バリウム（ＢａＴｉＯ３）等の無機材料や、光散乱のための無数の穴を有する微細な多気質アクリル、ポリカーボネート等の有機材料等が好適に用いられる。
【００５８】
従来の配線基板では、緑色や黄色、黒色等のソルダーレジストが塗布されているのが一般的である。しかし、上述のように、上記反射板６に設けられた各開口６ｄの径ｄ２は、各ＬＥＤ２１の径ｄ１に比べて一回り大きく形成されているため、配線基板のソルダーレジストを緑色や黄色及び黒色等にした場合、各ＬＥＤ２１と各開口６ｄとの間のクリアランス７１に光が入射してしまうと、ソルダーレジスト部分にその光が吸収されてしまい、結果としてＬＥＤ２１からの光を損失してしまうことになる。
【００５９】
そこで、本実施形態においては配線基板２２に高光反射性材料を含む白色ソルダーレジスト６１を塗布することで、ＬＥＤ２１から出射され拡散板５から反射板６側に反射してきた光や、反射板６で反射され再度拡散板５から反射板６側へ反射してきた光が、ＬＥＤ２１と開口６ｄとの間のクリアランス７１に入射しても、白色ソルダーレジスト６１によりその光を拡散板５側へ反射させるようにしている。これにより、光の損失による輝度むらを最小限に抑えることができる。
【００６０】
図３及び図４に示すように、各配線基板２２には、短手方向（Ｙ方向）の一側部でかつ長手方向（Ｘ方向）の一方側端部に入力用コネクタ１８が実装されるとともに、他方側端部に出力用コネクタ１９が実装されている。
【００６１】
また、各光源アレイ７は、上述したように、各光源装置２０が各アレイベース１６上に配線基板２２を同じ向き並べて形成される。また各光源アレイ７のうち、第１列目、第３列目、第５列目、・・・第１１列目の奇数列目の光源アレイ７は、各配線基板２２がそれぞれ入力用コネクタ１８及び出力用コネクタ１９を実装した一側部が下向きになるように各光源装置２０が配列される。一方、第２列目、第４列目、第６列目、・・・第１２列目の偶数列目の光源アレイ７は、各配線基板２２がそれぞれ入力用コネクタ１８及び出力用コネクタ１９を実装した一側部が上向きになるように各光源装置２０が配列される。
【００６２】
すなわち、各光源アレイ７は、一の光源装置２０に対して、それにＹ方向において隣接する他の光源装置２０が、ＸＹ平面において１８０度反転した状態となるように設けられている。したがって、一の光源装置２０の入力用コネクタ１８と、それにＹ方向において隣接する他の光源装置２０の出力用コネクタとが対向し、一の光源装置２０の出力用コネクタ１９と他の光源装置２０の入力用コネクタ１８とが対向することとなる。これにより、列の異なる各光源装置２０間で最短の配線を行うことができる。
【００６３】
また、図４に示すように、各光源装置２０の上記２つの緑色ＬＥＤ２１ｃ（Ｇ１）及び２１ｄ（Ｇ２）は、互いに色度が異なり、両者の平均色度が所定の色度となるように構成されている。すなわち、平均色度が所定の色度になりさえすれば、どのような色度の緑色ＬＥＤでも組み合わせることができる。このように構成することで、各色ＬＥＤの中でも特に大きい緑色ＬＥＤのばらつきを吸収することができる。
【００６４】
そして、各緑色ＬＥＤ２１ｃ及び２１ｄ（Ｇ１及びＧ２）は、それぞれＸ方向に沿ってジグザグ状となるように配置されている。すなわち、各ＬＥＤユニット２５において各緑色ＬＥＤ２１ｃ及び２１ｄは上下の位置がＸ方向に行くにしたがって交互に入れ替わっている。
【００６５】
上述したように、バックライト装置１０においては、Ｙ方向において隣接する各光源装置２０が１８０度反転して配置されることから、仮に、色度の異なる各緑色ＬＥＤ２１ｃ及び２１ｄをＸ方向に沿って直線状に配置すると、Ｙ方向において隣接する光源装置２０間で、同一の色度を有する緑色ＬＥＤ２１ｃ同士及び２１ｄ同士（Ｇ１同士及びＧ２同士）が近接してしまい、これにより色むら及び輝度むらが生じてしまう。しかしながら、本実施形態のように緑色ＬＥＤ２１ｃ及び２１ｄをそれぞれジグザグ状に配置することで、Ｙ方向で隣接する光源装置２０間でＧ１同士及びＧ２同士の距離が近接することなく均一に配置されることとなるため、色むら及び輝度むら発生を抑えることができる。
【００６６】
なお、上記緑色ＬＥＤ２１ｃ及び２１ｄには、色度のみならず輝度も異なるものを採用しても構わない。この場合、緑色ＬＥＤ２１ｃ及び２１ｄの平均輝度が所定の輝度となりさえすればどのような輝度の緑色ＬＥＤでも組み合わせることができる。
【００６７】
また、ＬＥＤユニット２５に、緑色ＬＥＤ２１ｃ及び２１ｄのみならず、赤色ＬＥＤ２１ａまたは青色ＬＥＤ２１ｂも複数実装して、その複数の赤色ＬＥＤ２１ａまたは青色ＬＥＤ２１ｂの平均色度（または平均色度）が所定の色度（または輝度）となるようにしても構わない。
【００６８】
図２〜図５に示すように、各光源アレイ７の上方（Ｚ方向）には、それら光源アレイ７を全て覆うように、反射板６が設けられている。この反射板６は、例えばアルミプレートやステンレスプレートを基材として、その表面に蛍光材を含有した発泡性ＰＥＴ（Polyethylene terephthalate）等からなる反射材を接合して形成される。光源装置２０の各ＬＥＤユニット２５から出射された光のうち、上記拡散板５で反射された光はこの反射板６で反射され、再び拡散板５へ入射する。各色のＬＥＤ２１からの出射光を拡散板５と反射板６との間で反復反射させることで、増反射原理による反射率及び混色性の向上が図られている。
【００６９】
図２に示すように、反射板６は、平面部６ａと、この平面部６ａと略平行に反射板６の周縁に形成されたエッジ部６ｃと、平面部６ａとエッジ部６ｃとの間（平面部６ａの周囲）に、拡散板５側から光源装置２０側にかけて形成された傾斜部６ｂとからなる。平面部６ａには、各ＬＥＤユニット２５の各ＬＥＤの数及び形状に合わせて複数（１１５２個）の円形の開口６ｄが設けられており、反射板６は、当該開口６ｄから各ＬＥＤ２１を貫通させるようにして、各光源アレイ７のアレイベース１６の上面に平面部６ａが例えば接着等により固定されるように設けられる。
【００７０】
図４に示すように、各開口６ｄは、その径ｄ２（及び外周長）が、各ＬＥＤ２１の各樹脂ホルダのＸＹ平面における径ｄ１（及び外周長）に比べて一回り大きく形成されている。これにより、各ＬＥＤ２１と各開口６ｄとの間にクリアランス７１が形成されるため、各ＬＥＤ２１の寸法公差や、各ＬＥＤ２１を各配線基板２２に実装する場合の実装精度等のばらつきを吸収して、反射板６を容易に組み付けることができる。また、上述したように反射板６は全ての光源装置２０を覆うように一枚のみ設けられ、またアルミ等の可撓性材料で設けられるため、その組み付け時には、バックライト装置１０の中央部に向かって撓んでしまい、上記各開口６ｄと各ＬＥＤ２１との間に位置ずれが生じる場合も考えられるが、上記クリアランス７１により、その撓みにも対応して反射板６を容易に組み付けることができる。なお、このクリアランス７１のＸＹ平面における幅ｃは例えば１ｍｍ〜２ｍｍ程度であるが、これに限られるものではない。
【００７１】
また、反射板６は、上述したように、エッジ部６ｃが、拡散板５と、バックシャーシ８に設けられたブラケット部材１５との間に介挿されることによって保持される。更に反射板６は、後述する光学スタッド１７によっても保持される。
【００７２】
図２〜図４に示すように、拡散板５と反射板６との間には、複数個の光学スタッド１７が設けられている。図２に示すように、光学スタッド１７は、突起部１７ａ、基底部１７ｃ及びそれらを繋ぐ軸部１７ｂで構成され、例えばバックシャーシ８の凹部８ｂと反射板６に設けられた嵌合孔（図示せず）を軸部１７ｂが貫通して、凹部８ｂ及び反射板６を突起部１７ａと基底部１７ｃとが挟み込むように固定される。光学スタッド１７は、例えばポリカーボネート樹脂等の、導光性と機械的剛性及びある程度の弾性を有する乳白色の合成樹脂材によって一体に成形される。光学スタッド１７を設けることで、拡散板５の底面が光学スタッド１７の突起部１７ａの先端に突き当てられるように保持され、拡散板５と反射板６との間隔及び平行度が保持されるため、拡散板５や反射板６の撓み等による色むら等の発生が防止される。
【００７３】
この光学スタッド１７は、図３に示すように、バックライト装置１０の全面に亘って複数設けられる。光学スタッド１７は、例えば、３行分のＬＥＤユニット２５が設けられる毎にＹ方向に所定間隔を置いて３つまたは４つ設けられ、バックライト装置１０の中心部においてはＹ方向に所定間隔を置いて５つ設けられ、バックライト装置１０全体では計２７個設けられる。この数はもちろん適宜変更可能である。また、この光学スタッド１７は、図３及び図４に示すように、互いに隣接する４つのＬＥＤユニット２５から略等しい距離となる位置に設けられる。仮に、Ｘ方向またはＹ方向において隣接する２つのＬＥＤユニット２５の中間の位置に光学スタッド１７を設けた場合、光学スタッド１７によりその２つのＬＥＤユニット２５間で各出射光の混色が妨げられて、赤色、青色、緑色のいずれかの色による色むらや輝度むらが発生してしまう。しかしながら、本実施形態においては、上述のように４つのＬＥＤユニット２５の略中央に光学スタッド１７を設けることで、この色むらや輝度むらの発生を抑えて高品位な液晶表示装置を提供することができる。
【００７４】
図６は、上記図４に示した配線基板２２のコネクタ１８近傍の断面図である。上述したように、反射板６は、ＬＥＤ２１を開口６ｄから貫通させて反射板６の表面に露出させるようにして設けられているが、このＬＥＤ２１は、バックライト装置１０の薄型化を図るために、比較的高さの低いものを用いているため、ＬＥＤ２１と同様に配線基板２２上に実装された入力用コネクタ１８及び出力用コネクタ１９と反射板６とがＺ方向において干渉してしまうこととなる。そのため、本実施形態においては、図４及び図６に示すように、反射板６に、この入力用コネクタ１８及び出力用コネクタ１９を貫通させて反射板６の表面に露出させるための開口６ｅも形成している。
【００７５】
この開口６ｅは、入力用コネクタ１８及び出力用コネクタ１９の実装精度等を考慮して、入力用コネクタ１８及び出力用コネクタ１９のＸＹ平面上の面積よりもやや大きく形成されている。また、入力用コネクタ１８及び出力用コネクタ１９には、両者を接続するためのリード線４３も設けられており、開口６ｅは、このリード線４３の干渉も考慮して形成されている。したがって、この開口６ｅと入力用コネクタ１８及び出力用コネクタ１９との間には、クリアランス３３が存在することとなる。
【００７６】
しかしながら、ＬＥＤ２１から出射された光がこのクリアランス３３に入射したり、入力用コネクタ１８及び出力用コネクタ１９やリード線４３に当たったりすると、光が拡散板５側へ反射せずに損失してしまい、結果としてバックライト装置１０の輝度の減少を招き、局所的な輝度むらが生じてしまうこととなる。
【００７７】
そこで、本実施形態においては、図３、図４及び図６に示すように、反射板６の開口６ｅから露出した入力用コネクタ１８及び出力用コネクタ１９を覆うように、反射板６に反射シート３１を貼付している。この反射シート３１は、反射板６と同様に例えば発泡性ＰＥＴ等の反射性材料からなる。これにより、反射板６に入力用コネクタ１８及び出力用コネクタ１９のための開口６ｅを設ける必要がある場合でも、光の損失をなくして光の取り出し効率を向上させ、高輝度で輝度むらの小さいバックライト装置１０を提供することができる。
【００７８】
本発明者らは、反射板６にこの反射シート３１を設けた場合の、バックライト装置１０の輝度の改善効果について、平面輝度測定器を用いて測定を行った。図７は、この測定結果を示した図である。同図（ａ）が反射シート３１を設けない場合、同図（ｂ）が反射シート３１を設けた場合のバックライト装置１０の各輝度測定結果を示している。
【００７９】
同図（ａ）に示すように、反射板６に反射シート３１を設けない場合には、開口６ｅにおいて光の損失があるため、反射板６のうち特に開口６ｅが集中する箇所（Ｘ方向における各配線基板２２同士の境界近傍）において輝度落ちが生じ、輝度むらが発生している。また、バックライト装置１０の中心付近の輝度がその周囲に比べて低下している。
【００８０】
一方、同図（ｂ）に示すように、開口６ｅに反射シート３１を設けることで、同図（ａ）のような輝度落ち及び輝度むらが改善し、中心付近の輝度の低下も見られない。本測定では、同図（ａ）の場合には、中心輝度が５８９９ｃｄ／ｍ２だったのに対し、同図（ｂ）の場合には６００５ｃｄ／ｍ２となり、約１．８％の改善が見られた。また、同図（ａ）の場合には、平均輝度が５０９４ｃｄ／ｍ２だったのに対し、同図（ｂ）の場合には５１５５ｃｄ／ｍ２となり、約１．２％の改善が見られた。また、同図（ａ）と（ｂ）との間でその他に大きな特性の変化は見られなかった。
【００８１】
以上より、本実施形態においては、反射板６と配線基板２２との距離をなるべく小さくしてバックライト装置１０の薄型化を実現しながらも、反射板６の開口６ｅを覆うように反射シート３１を設けることで、開口６ｅにおける光の損失を防ぎ、バックライト装置１０の輝度落ち及び輝度むらを防ぐことができる。
【００８２】
なお、図４に示すように、配線基板２２上には、入力用コネクタ１８及び出力用コネクタ１９以外にも、上述したように配線基板２２をアレイベース１６に係止するためのねじ３２が設けられており、配線基板２２上に露出したこのねじ３２の頭部も、反射板６と干渉するような高さを有している。そのため、反射板６には、このねじ３２の頭部を貫通させて露出させるための開口６ｆも設けられている。この開口６ｆにも、上記開口６ｅに設けられた反射シート３１と同様の反射シート（図示せず）をねじ３２を覆うように貼付するようにしてもよい。これにより、光の損失を更に防ぐことができる。
【００８３】
ところで、本実施形態のように、バックライト装置１０の光源としてＬＥＤユニット２５を採用した場合、ＬＥＤユニット２５を点灯し続けると、時間の経過とともに光源装置２０のバックシャーシ８等の温度が、例えば室温に対して約３０℃上昇する。これに伴い、フロントシャーシ１、ミドルフレーム３等を介して、液晶パネル２の温度も、例えば室温に対して約２０℃上昇する。その結果、フロントシャーシ１、ミドルフレーム３に保持されている液晶パネル２の周縁部と、該周縁部から離れた液晶パネル２の中央部分との間に温度差が生じる。これにより、液晶が封入されているガラス基板に応力が発生し、ガラス基板の屈折率が変わり、偏光特性が変わる現象が発生する。特に黒画面では、偏光特性が白く見える方向に変化し、これが輝度むらとなってしまう。
【００８４】
そこで、本実施形態においては、図３に示すように、反射板６の平面部６ａの四隅に例えば二等辺三角形状の黒色シート５１を貼付し、反射板６の四隅における反射率を低下させ、輝度むらを改善している。なお、この黒色シート５１の形状は、二等辺三角形状に限られるものではなく、例えばＬ字状等の他の形状にしてもよい。また、この黒色シート５１は、反射板６の平面部６ａの四隅ではなく傾斜部６ｂの四隅に設けられていてもよい。更に、黒色テープ５１を貼付する代わりに、黒色塗装または黒色印刷の処理を施してもよい。すなわち、反射板６の四隅の反射率を低下させる処理を施せればよい。
【００８５】
次に、上記液晶表示装置１００の駆動回路について簡単に説明する。図８は、その駆動回路を示したブロック図である。
【００８６】
同図に示すように、液晶表示装置１００は、映像を表示する上記液晶パネル２、該液晶パネル２の背面側に配置されたバックライト装置１０、該バックライト装置１０及び液晶パネル２に対して各種の制御を行う制御部４０、及び該制御部４０がアクセス可能なメモリ３６を備えている。制御部４０は、映像信号を検出する映像信号検出回路３９と、バックライト装置１０の点灯を制御するバックライト点灯制御回路３５と、液晶パネル２の駆動を制御する液晶パネル制御回路３４とを備えている。
【００８７】
液晶パネル２は、該液晶パネル２に対して駆動信号を送出するためのソースドライバ３７及びゲートドライバ３８を有している。また、上述したように液晶パネル２には、図示しない３原色（ＲＧＢ）のカラーフィルタが搭載されており、１つの画素が３つのＲＧＢに対応したサブ画素で構成されている。当該カラーフィルタの構成として、ＲＧＢ以外の色、例えばエメラルド、またはシアン等の色も含む４原色以上の構成であってもよい。
【００８８】
映像信号検出回路３９により検出された映像信号は、液晶パネル制御回路３４によりメモリ３６を介して所定のタイミングでソースドライバ３７及びゲートドライバ３８へ供給され、両ドライバの制御により液晶パネル２が駆動されることで映像が表示される。一方でバックライト点灯制御回路３５は、バックライト点灯信号を生成してバックライト装置１０の各光源装置２０の各ＬＥＤ２１を駆動する。
【００８９】
（第２実施形態）  
次に、本発明の第２の実施形態について説明する。なお、本実施形態及び以降の実施形態において、上述の第１の実施形態と同様の構成及び機能となる箇所については同一の符号を付し、説明及び図示を省略または簡略化する。
【００９０】
図９は、本実施形態に係るバックライト装置１０の一部平面図であり、図１０は、図９に示した配線基板２２の、入力用コネクタ１８近傍の部分断面図である。
【００９１】
上述の実施形態においては、反射板６の開口６ｅに反射シート３１を貼付していた。その代わりに、本実施形態においては、図９及び図１０に示すように、まず、クリアランス３３のうち、特にリード線４３以外の入力用コネクタ１８及び出力用コネクタ１９の本体と開口６ｅとの間のクリアランス３３を極力なくす。そして、入力用コネクタ１８及び出力用コネクタ１９に、高光反射性材料を用いる。この高光反射性材料としては、例えばアルミニウムや銀等の高光反射性材料や、上記白色ソルダーレジスト６１と同様に、例えば微細な酸化チタン（ＴｉＯ２）やチタン酸バリウム（ＢａＴｉＯ３）等の無機材料や、光散乱のための無数の穴を有する微細な多気質アクリル、ポリカーボネート等の有機材料等が用いられる。この高光反射性材料は、入力用コネクタ１８及び出力用コネクタ１９の表面に塗布されているものでもよいし、入力用コネクタ１８及び出力用コネクタ１９の本体ケース自体の材料として用いられるものであっても構わない。
【００９２】
更に、反射板６のうち、リード線４３の上方に位置する部分に、開口６ｅのうちＹ方向の２辺に沿って切り込み８２を入れ、その切り込んだ部分を、Ｘ方向を軸にしてＺ方向に浮かせるように折り曲げることで、リード線４３が干渉しないように開口６ｅを広げるとともに、フラップ部８１を形成する。
【００９３】
このような構成とすることで、光が入力用コネクタ１８及び出力用コネクタ１９の表面に当たっても上記高光反射性材料により光を反射することができ、また上記フラップ部８１により、入力用コネクタ１８及び出力用コネクタ１９のリード線４３近傍に入射してきた光を反射することができるため、反射板６に新たな部材を設けることなく、光の損失を防いで、バックライト装置１０の輝度の低下及び輝度むらを防ぐことができる。
【００９４】
また、本実施形態において、配線基板２２上のねじ３２の近傍についても、反射板６を切り込んで上記と同様のフラップ部を設けるようにしても構わない。また、フラップ部を設ける代わりに、上記ねじ３２を露出させる開口６ｆとねじ３２とのクリアランスを極力小さくして、その露出する表面に上記高光反射性材料を用いるようにしてもよい。これにより更に光の損失を抑えることができる。
【００９５】
（第３実施形態）  
次に、本発明の第３の実施形態について説明する。図１１は、本実施形態におけるバックライト装置１０の配線基板２２の、入力用コネクタ１８近傍の部分断面図である。
【００９６】
同図に示すように、本実施形態においては、上記第２の実施形態の図１０で示したフラップ部８１に比べて、その形成方法及び形状を変化させている。すなわち、本実施形態においては、反射板６のうち入力用コネクタ１８及び出力用コネクタ１９と対向する部分を切り取ることなく、入力用コネクタ１８及び出力用コネクタ１９の矩形表面のうち３辺に沿った切り込みのみを入れ、その切り込み部分を浮かせるようにして開口６ｅ及びフラップ部８１を形成したものである。そして、このフラップ部８１は、反射板６の表面から斜め上方に向かう傾斜部８１ａと、この傾斜部８１ａから、反射板６の表面と略平行となるように折り曲げられた平面部８１ｂとを有している。
【００９７】
このような構成とすることで、上記第２の実施形態におけるフラップ部８１のように、傾斜面のみの場合に比べて、フラップ部８１と入力用コネクタ１８及び出力用コネクタ１９とのＺ方向におけるクリアランスを小さくすることができるため、このクリアランスから光が入射してしまうのを極力防ぐことができる。そして、拡散板５側から反射板６側へ反射してきた光を平面部８１ｂでより確実に拡散板５側へ反射させることができるため、光の損失を更に高い確率で防ぐことができる。また、入力用コネクタ１８及び出力用コネクタ１９が平面部８１ｂで略覆われているため、入力用コネクタ１８及び出力用コネクタ１９の表面に高光反射性材料を用いなくても、光の損失を極力防ぐことができる。もちろん、上記第２実施形態と同様に入力用コネクタ１８及び出力用コネクタ１９に高光反射性材料を用いても構わない。
【００９８】
また、本実施形態においては、配線基板２２上のねじ３２の近傍についても、上記と同様に平面部と傾斜部とを有するフラップ部を反射板に形成するようにしてもよい。
【００９９】
（第４実施形態）  
次に、本発明の第４の実施形態について説明する。図１２は、本実施形態におけるバックライト装置１０の配線基板２２の、入力用コネクタ１８近傍の部分断面図である。
【０１００】
上述の第２及び第３の実施形態において反射板６にフラップ部８１を形成していたが、同図に示すように、本実施形態においては、反射板６に切り込みを入れることなく、反射板６のうち入力用コネクタ１８及び出力用コネクタ１９に対向する部分をＺ方向の拡散板５側に突出させた凸部９１を、開口６ｅと一体的に設けている。この凸部９１はプレス加工等の成型技術により容易に形成することができる。これにより、反射板６には何のクリアランスも生じないことになるため、反射板６に新たな部材を設けることなく、光の損失を確実に防ぐことができる。
【０１０１】
本発明は上述の各実施形態にのみ限定されるものではなく、本発明の要旨を逸脱しない範囲内において種々変更を加え得ることは勿論である。
【０１０２】
上述の各実施形態においては、反射板６に、入力用コネクタ１８及び出力用コネクタ１９やねじ３２を露出させるための開口６ｅ及び６ｆが設けられている場合に光の損失を防ぐための対策について説明したが、この対策が講じられる対象は、コネクタやねじのみならず、例えばピンやその他の突起物等、バックライト装置１０の薄型化に伴って配線基板２２上で突出して反射板６と干渉する可能性のあるものであればどのようなものでも構わない。
【０１０３】
上述の第２〜第４実施形態におけるフラップ部８１及び凸部９１の形状は図１０から図１２に図示したものに限られるものではなく、例えば曲面状等の他のあらゆる形状に形成することができる。
【図面の簡単な説明】
【０１０４】
【図１】本発明の第１の実施形態に係るバックライト装置を有する液晶表示装置の概略分解斜視図である。
【図２】図１の液晶表示装置のＺ方向の一部断面図である。
【図３】本発明の第１実施形態に係るバックライト装置の構成を示す一部切り欠き平面図である。
【図４】本発明の第１の実施形態に係るバックライト装置の、上記図３の破線Ａで囲んだ部分の拡大図である。
【図５】図４に示したバックライト装置のＡ−Ａ´断面図である。
【図６】図４に示した配線基板のコネクタ近傍の部分断面図である。
【図７】本発明の第１の実施形態において、反射板のコネクタ露出用の開口に反射シートを設けた場合のバックライト装置の輝度を測定した結果を示した図である。
【図８】本発明の第１の実施形態における液晶表示装置の駆動回路を示したブロック図である。
【図９】本発明の第２の実施形態に係るバックライト装置の一部平面図である。
【図１０】図８に示した配線基板のコネクタ近傍の部分断面図である。
【図１１】本発明の第３の実施形態に係るバックライト装置における配線基板のコネクタ近傍の部分断面図である。
【図１２】本発明の第４の実施形態に係るバックライト装置における配線基板のコネクタ近傍の部分断面図である。
【符号の説明】
【０１０５】
１…フロントシャーシ
２…液晶パネル
３…ミドルフレーム
４…光学シート積層体
５…拡散板
６…反射板
６ｅ…開口
６ｆ…開口
７…光源アレイ
８…バックシャーシ
１０…バックライト装置
１６…アレイベース
１７…光学スタッド
２０…光源装置
２１…ＬＥＤ
２２…配線基板
２３…粘着材
３１…反射シート
３３…クリアランス
４３…リード線
５２…サーマルビア
５３…金属めっき層
６１…白色ソルダーレジスト
８１…フラップ部
８１ａ…傾斜部
８１ｂ…平面部
８２…切り込み
９１…凸部
１００…液晶表示装置
【図１】
2008147147.tif 000003
【図２】
2008147147.tif 000004
【図３】
2008147147.tif 000005
【図４】
2008147147.tif 000006
【図５】
2008147147.tif 000007
【図６】
2008147147.tif 000008
【図８】
2008147147.tif 000009
【図９】
2008147147.tif 000010
【図１０】
2008147147.tif 000011
【図１１】
2008147147.tif 000012
【図１２】
2008147147.tif 000013
【図７】
2008147147.tif 000014